(57)【要約】
【課題】主機関の出力低下時にも造水量が低下せず、停泊時にも造水でき、余剰蒸気を他の用途にも利用できる多目的化した冷却清水システムを提供する。
【解決手段】主機関１と、主機関１に冷却水を供給する冷却清水ポンプ２を閉ループの冷却水循環路３で接続した冷却清水システムであって、冷却清水ポンプ２の出側と主機関１の入側との間の冷却水循環路３に、清水加熱器１０が接続されており、清水加熱器１０の蒸気取入管１２に、主機関１からの排出水が８３℃以下になったとき開弁する自動温度制御弁５を設けている。清水加熱器１０は、その容量が主機関１の暖機用に必要な量よりも大きくなっており、主機関１の出側と冷却清水ポンプ２の入側との間の冷却水循環路３には、造水装置７と温水加熱器２１が接続され、これらに余剰温水が供給されるようになっている。
【選択図】図１
0003100219.tif 000002
【実用新案登録請求の範囲】
【請求項１】
　主機関と、該主機関に冷却水を供給する冷却清水ポンプを閉ループの冷却水循環路で接続した冷却清水システムであって、
前記冷却清水ポンプの出側と前記主機関の入側との間の冷却水循環路に、清水加熱器が接続されており、
該清水加熱器の蒸気取入管に、前記主機関からの排出水が所定温度以下になったとき開弁する自動温度制御弁を設けた
ことを特徴とする船舶主機関の冷却清水システム。
【請求項２】
　前記清水加熱器が、その容量を前記主機関の暖機用に必要な量よりも大きく設定されている
ことを特徴とする船舶主機関の冷却清水システム。
【請求項３】
　前記主機関の出側と前記冷却清水ポンプの入側との間の冷却水循環路に、造水装置と温水加熱器が接続されている
ことを特徴とする船舶主機関の冷却清水システム。
【考案の詳細な説明】
【技術分野】
【０００１】
　本考案は、船舶主機関の冷却清水システムに関する。
【背景技術】
【０００２】
　従来の冷却清水システムに関しては、主機関を冷却するための冷却水循環路に、冷却水を循環させるための冷却清水ポンプと、主機関を冷却して排出された後の温水を冷却する清水冷却器とを介装したシステムが用いられている。また、主機関を冷却した後の温水は造水装置に導かれて造水に利用されるようになっている（例えば、特許文献１参照）。
【０００３】
　上記の冷却清水システムを図示すると、図２のとおりである。１は主機関、２は冷却清水ポンプ、３は冷却水循環路であり、閉ループの循環ラインである。４は冷却水循環路３に対しバイパスして接続された清水冷却器である。主機関１から出た冷却水の温度が８５℃の高温になったことを温度センサ６で検出すると自動温度制御弁５が開いて、冷却水を冷却してから冷却清水ポンプ２に送り込むようになっている。
　７は減圧蒸留式の造水装置で主機関１と冷却清水ポンプ２との間の冷却水循環路３に接続され、ここから温水の供給を受け、他方で蒸気を導入して真水を作るようになっている。
　５０は冷却清水ポンプ２と主機関１との間の冷却水循環路３に接続された清水加熱器である。この清水加熱器５０は、主機関１の起動時に行う暖機運転に際し、過冷却を避けるため、冷却水を５０℃以上に加温して送るために設けられている。
【０００４】
　前記従来例において、清水加熱器５０は主機関１の暖機用であるため、その用途に限定して、容量を決定している。そのため、能力が低く他の用途には使用できなかった。
　また、造水装置７の造水能力は主機関１から排出される温水量に依存するので、主機関１の出力低下時には造水量も低減せざるをえなかった。また、停泊時には主機関１は停止しているので、造水装置７にはスチームインジェクター６０を装備し、これにより造水するようにしていた。
【０００５】
【特許文献１】特開平１‐１３２４９２号公報
【考案の開示】
【考案が解決しようとする課題】
【０００６】
　本考案は上記事情に鑑み、主機関の出力低下時にも造水量が低下せず、停泊時にも造水でき、余剰蒸気を他の用途にも利用できる多目的化した冷却清水システムを提供することを目的とする。
【課題を解決するための手段】
【０００７】
　第１考案の船舶主機関の冷却清水システムは、主機関と、該主機関に冷却水を供給する冷却清水ポンプを閉ループの冷却水循環路で接続した冷却清水システムであって、前記冷却清水ポンプの出側と前記主機関の入側との間の冷却水循環路に、清水加熱器が接続されており、該清水加熱器の蒸気取入管に、前記主機関からの排出水が所定温度以下になったとき開弁する自動温度制御弁を設けたことを特徴とする。
　第２考案の船舶主機関の冷却清水システムは、前記清水加熱器が、その容量を前記主機関の暖機用に必要な量よりも大きく設定されていることを特徴とする。
　第３考案の船舶主機関の冷却清水システムは、前記主機関の出側と前記冷却清水ポンプの入側との間の冷却水循環路に、造水装置と温水加熱器が接続されていることを特徴とする。
【考案の効果】
【０００８】
　第１考案によれば、清水加熱器から供給する温水を自動温度制御弁を用いて所定の高温に維持できるので、人手に頼ることなく主機関の暖機に利用できる。
　第２考案によれば、清水加熱器の容量が、主機関の暖機に必要な量より多いので、他の機器の加温用にも利用でき、主機関の停止時にも清水加熱器のみの稼動で船中の必要な個所の加温ができる。
　第３考案によれば、主機関の停止時にも、清水加熱器が供給する温水によって、造水装置や船中の温水加熱器を稼動することができ、常時清水を大量に造水することができる。
【考案を実施するための最良の形態】
【０００９】
　つぎに、本考案の実施形態を図面に基づき説明する。
　図１は本考案の一実施形態に係る船舶主機関の冷却清水システムのブロック図である。
　図１において、１は主機関、２は冷却清水ポンプ、３は冷却水循環路であり、これらは閉ループに接続されている。４は清水冷却器であり、主機関１の出側と冷却清水ポンプ２の入側の間の冷却水循環路３に対し、バイパス路３ａを介して接続されている。また、清水冷却器４の出側における冷却水循環路３には、自動温度制御弁５が介装されている。
【００１０】
　前記主機関１の出側の冷却水循環路３には、温度センサ６が介装されている。温度センサ６は、主機関１からの排出水が８５℃の高温になったとき、検知信号を出力して、前記自動温度制御弁５を開弁するために設けられている。自動温度制御弁５が開弁すると、清水冷却器４で冷却された水が主機関１に供給されるので、主機関１の熱を下げることができる。
　７は減圧蒸留式の造水装置で主機関１の出側と冷却清水ポンプ２の入側との間の冷却水循環路３に接続され、ここから温水の供給を受け真水を作るようになっている。
【００１１】
　上記に加え、本実施形態では、つぎの構成を備えている。
　１０は清水加熱器であり、出入用の２本の配管１１によって、主機関１の入側と冷却清水ポンプ２の出側との間の冷却水循環路３に接続されている。
　また、蒸気取入管１２で余剰蒸気が導入されるようになっており、この蒸気取入管１２には、自動温度制御弁１３が介装されている。１４は清水加熱器１０に接続されたドレン管である。
【００１２】
　前記清水加熱器１０は、容量的には従来のものより大きなものであり、主機関１の暖機用に必要な量より大量の高温水を作ることができる。
　この清水加熱器１０の出側の配管１１からはバイパス管１５が分岐しており、主機関１の出側の冷却水循環路３に接続されており、造水装置７等に高温水を供給できるようになっている。
【００１３】
　前記主機関１の出側の冷却水循環路３には、温度センサ１６が介装されている。この温度センサ１６は、主機関１からの排出水が８３℃に低下すると、検知信号を出力して、前記自動温度制御弁１３を開弁するようになっている。この自動温度制御弁１３が開弁すると、清水加熱器１０内に供給される蒸気量が多くなるので、清水加熱器１０から主機関１に供給される冷却水の温度が高くなって、主機関１から排出される温水の温度も高くなる。すなわち、前記清水冷却器４の働きを併せると、主機関１よりの排水は、常時８３℃〜８５℃に保たれることになる。
【００１４】
　前記冷却水循環路３における主機関１の出側と冷却清水ポンプ２の入側の間、換言すれば前記造水装置７と並列に温水加熱器２１が接続されている。ここでいう温水加熱器２１とは、居住区暖房用や吸収式冷凍機など船内種々の設備に用いられる熱源が該当する。
【００１５】
　以上の構成に基づき、本実施形態の冷却清水システムは、つぎのような利点がある。
（１）主機関１が可動しているときは、冷却清水が高温（８３℃〜８５℃の間）であるので、そのまま造水装置７に導入して、真水の造水に利用できる。
（２）主機関１の出力が低下したり停止したときは、清水加熱器１０が供給する高温水を利用できる。すなわち、清水加熱器１０の高温水供給量は主機関１の暖機用より多いので、その余剰分をバイパス路１５により冷却水循環路３における造水装置７の入口より上流に供給すると、造水装置での造水に利用できる。
　このため、清水の造水量が多くなることから、とくに清水を大量に使用するケミカルタンカーでは有用である。
（３）前記清水加熱器１０が供給できる高温水は、造水装置７だけでなく、温水加熱器２１や、その他種々の加温を要する船舶内機器に利用することができる。
【図面の簡単な説明】
【００１６】
【図１】本考案の一実施形態に係る船舶主機関の冷却清水システムのブロック図である。
【図２】従来の船舶主機関の冷却清水システムのブロック図である。
【符号の説明】
【００１７】
　　１　　主機関
　　２　　冷却清水ポンプ
　　３　　冷却水循環路
　　５　　自動温度制御弁
　　６　　温度センサ
　　７　　造水装置
　１０　　清水加熱器
　１１　　配管
　１２　　蒸気取入管
　１３　　自動温度制御弁
【図１】
0003100219.tif 000003
【図２】
0003100219.tif 000004